(57)【要約】【課題】容器に巻付け装着される熱収縮性のシュリンクラベルやストレッチラベル、或いは容器に貼着されたラベルを、簡単な操作だけで、容易に剥離可能としたラベル付き容器を提供すること。【解決手段】容器本体と、容器本体に装着されたラベルとからなるラベル付き容器であって、容器本体の容器壁が、外方に向かって突出した膨出部を少なくとも一個具えており、膨出部の少なくとも一部がラベルにより被覆されていることを特徴とする。【選択図】        図１
2004182256.tif 000002
【特許請求の範囲】
【請求項１】
容器本体と、容器本体に装着されたラベルとからなるラベル付き容器であって、
容器本体の容器壁が、外方に向かって突出した膨出部を少なくとも一個具えており、膨出部の少なくとも一部がラベルにより被覆されていることを特徴とするラベル付き容器。
【請求項２】
膨出部と容器壁の境界に、凹溝が設けられていることを特徴とする請求項１記載のラベル付き容器。
【請求項３】
ラベルが、破断用のミシン目を有するシュリンクラベルであること特徴とする請求項１，２記載のラベル付き容器。
【請求項４】
容器本体が、口部と肩部、胴部とを具えており、
膨出部が、容器本体の肩部に設けられていることを特徴とする請求項１〜３記載のラベル付き容器。
【発明の詳細な説明】
【０００１】
【発明の属する技術分野】
本発明は、容器本体に、ラベルを装着したラベル付き容器に関する。
【０００２】
【従来の技術】
従来、ラベル付き容器は、内容物である飲料等を充填する合成樹脂製容器本体に、商品名やデザイン、内容物に関する説明等の表示が印刷された熱収縮性を有するフィルムからなるラベルを巻付けている（例えば、特許文献１参照。）。
【０００３】
【特許文献１】
特開２００１年第１９９４１５号公報
【０００４】
【発明が解決しようとする課題】
上記従来の容器は、使用後にラベルを剥離するために、ラベルに破断用のミシン目を刻設し、使用中にミシン目が破断しラベルが簡単に剥離しないようにするため、ミシン目の下面にテープを貼着し、ミシン目を破断しないよう保護している。
そのため、ラベル面にテープを貼着するための工程が増えるという問題があった。
【０００５】
本発明は、上記問題を解決することを課題として、容器に巻付け装着される熱収縮性のシュリンクラベルやストレッチラベル、或いは容器に貼着されたラベルを、簡単な操作だけで、容易に剥離可能としたラベル付き容器を提供することを目的とする。
【０００６】
【課題を解決するための手段】
本発明は、上記の課題を解決するため、ラベル付き容器として、容器本体と、容器本体に装着されたラベルとからなるラベル付き容器であって、容器本体の容器壁が、外方に向かって突出した膨出部を少なくとも一個具えており、膨出部の少なくとも一部がラベルにより被覆されていることを特徴とする構成を採用する。
【０００７】
膨出部の反転を容易にするため、膨出部と容器壁の境界に、凹溝が設けられていることを特徴とする構成を採用し、ラベルの剥離を容易にするため、ラベルが、破断用のミシン目を有するシュリンクラベルであること特徴とする構成を採用する。
【０００８】
ラベル付き容器の好適な実施態様として、容器本体が、口部と肩部、胴部とを具えており、膨出部が、容器本体の肩部に設けられていることを特徴とする構成を採用する。
【０００９】
【発明の実施の形態】
次に、本発明ラベル付き容器の第１実施形態について図面を参照して説明する。
図１に示すように、本発明のラベル付き容器は、ＰＥＴその他の合成樹脂によって成形された容器本体１と、熱収縮性のシュリンクラベル２とから構成されている。
【００１０】
容器本体１は、図１，２に示すように、口部３と、肩部４と胴部５および底部６とからなっており、肩部４と胴部５の横断面は、角形、または円形、楕円形に形成され、肩部４には、外方に向かって突出した膨出部７が複数個設けられている。
肩部４の膨出部７の軸方向のほぼ半分と、胴部５の全体または少なくとも上部の一部がシュリンクラベル２により被覆されている。
シュリンクラベル２は、熱収縮性を有するフィルムを筒状に形成し、軸方向には破断用のミシン目８が刻設されている。
【００１１】
膨出部７の数量は、角形ボトルの場合は肩部４の各面に、その他の場合は複数個が望ましいが、最低一個とすることができる。
膨出部７の形状は、半球状・卵型状・楕円型状等任意の形状とすることができ、
膨出部７が胴部５外周面より内側であれば、肩部４の上下位置には関係なく、配設することができる。
【００１２】
次に、本実施形態のラベル付き容器の作用効果について説明する。
図３に示すように、肩部４に設けられた膨出部７を、矢印のように指で押すと、膨出部７のみが反転し、シュリンクラベル２との間に隙間９ができる。
【００１３】
隙間９に指が挿入可能となり、シュリンクラベル２の端縁を指で挟んで容器下方に引っ張ると、シュリンクラベル２をしっかり保持でき、力が入るので、シュリンクラベル２を破断用のミシン目８からスムースに破断することができる。
したがって、シュリンクラベル２が容易に剥離除去でき、容器本体１のリサイクルがより簡便になる。
【００１４】
また、膨出部７が肩部４に設けられているので、容器の箱詰めの際、邪魔になることがないし、店頭に展示するときも何等の支障もなく綺麗に並べることができる。
【００１５】
また、肩部４に設けた膨出部７の軸方向のほぼ半分にシュリンクラベル２が被覆されているので、膨出部７と肩部４がストッパーの役目を果たし、シュリンクラベル２が上方にも下方にも移動せず、抜け落ちることがない。
【００１６】
次に、本発明ラベル付き容器の別実施形態について説明する。
本実施形態は、膨出部の反転をより容易にできるようにしたものである。
図４において、１ａは容器本体、２ａはシュリンクラベルである。
肩部４ａと膨出部７ａとの境界部分には、一定巾の凹溝１０が形成されており、膨出部７ａを指で押圧すると、図４（ｂ）に示すように、凹溝１０と肩部４ａの境界線を軸として、凹溝１０が反転し、さらに、膨出部７ａと凹溝１０との境界線が軸となって反転するので、膨出部７ａの反転がより容易に行われることとなる。
【００１７】
前記各実施形態では、ラベル付き容器として、肩部に膨出部を具えた容器にシュリンクラベルを巻付けた容器について説明したが、容器としては、箱型容器、円筒または角筒などの筒状容器、カップ状または椀状容器等、ラベルを装着できる容器であれば、容器の形状はどのようなものでもよい。
【００１８】
膨出部は、ラベルの端縁に対応する位置に容器壁面から突設させ、ラベルの端縁が膨出部の少なくとも一部を覆うようにする。
【００１９】
また、ラベルについては、前記各実施形態のシュリンクラベルが好適であるが、それ以外にもプラスチックフィルム、または紙製のラベルで、接着剤或いは粘着剤などによって貼着できるものであってもよい。
さらにまた、容器の形状によっては、ストレッチラベルを用いてもよい。
【００２０】
接着剤等を用いる場合には、ラベルの周辺部のみを接着させ、膨出部に対応する部分には、接着剤を塗布しないようにする。
粘着剤を用いる場合は、粘着剤が膨出部に対応する部分も含め全面に塗布されていてもよい。
【００２１】
容器を廃棄するときは、膨出部を指で押さえて反転させると、ラベルの端縁を膨出部から簡単に剥離させ、ラベルと膨出部表面との間に隙間を形成させることができる。
隙間に指を差し込み、ラベルを掴んで引っ張ることによって、容器壁面からラベルを剥がすことができる。
【００２２】
【発明の効果】
本発明は、上記のように構成されているから、次の効果を奏する。
ラベルの端縁に対応する容器本体の壁面に膨出部を設け、膨出部を反転することによって、ラベルと容器との間に隙間を形成させるようにしているので、隙間に手指を差し込み、ラベルを容易に剥離できるようになった。
また、膨出部と肩部の境界に凹溝を設けることによって、膨出部の反転が簡単にできるようになり、ラベルの除去が尚一層簡便となった。
【００２３】
第１実施形態のラベル付き容器では、肩部に膨出部を設け、シュリンクラベルを用いているので、肩部の膨出部が、被覆されているシュリンクラベルのストッパーの役割を果たし、シュリンクラベルが容器本体より抜け落ちることがなく、また、ラベルがミシン目を有するものであるので、容器の廃棄時には、ラベルの剥離が一層簡単にできるようになった。
【００２４】
また、膨出部が肩部に設けられているので、容器の箱詰めの邪魔になることなく、店頭に展示するときも綺麗に並べることができる。
【図面の簡単な説明】
【図１】本発明のラベル付き容器の正面図である。
【図２】ラベル付き容器の上面図である。
【図３】ラベル付き容器の膨出部反転持の要部拡大縦断面図である。
【図４】別実施形態の肩部の説明図で、（ａ）は一部断面図、（ｂ）は膨出部反転持の要部拡大縦断面図である。
【符号の説明】
１      容器本体
２      シュリンクラベル
３      口部
４      肩部
５      胴部
６      底部
７      膨出部
８      ミシン目
９      隙間
１０    凹溝
【図１】
2004182256.tif 000003
【図２】
2004182256.tif 000004
【図３】
2004182256.tif 000005
【図４】
2004182256.tif 000006